(57)【要約】【課題】  蛍光管だけでなく一般の白熱灯による照明下で良好な明所コントラスト特性を示す画像表示装置と、それに用いる表示装置用フィルタを提供する。【解決手段】  例えば、プラズマディスプレイのような自己発光型表示部の表示面に取り付けられる表示装置用フィルタであって、表示部に固有の発光に対応した波長付近の光（例えば、プラズマディスプレイの場合５８５ｎｍ付近）と共に、５４７ｎｍ付近の光に対して吸収帯を持ち、かつ、波長６５０〜６８０ｎｍ付近の領域における光に対する透過率が、波長５４７ｎｍ付近以下の可視光に対する透過率とほぼ同じ、又は、略８０％から１２０％程度であり、５４７ｎｍ付近の光に対する吸収帯の透過率が波長５８５ｎｍ付近の光に対する吸収帯の透過率よりも、略２倍ほど大きい波長選択性フィルタである。【選択図】  図３
2006138977.tif 000002
【特許請求の範囲】
【請求項１】
表示装置の自己発光型表示部の表示面に取り付けられる表示装置用フィルタであって、５４７ｎｍ付近の光に対して吸収帯を持ち、かつ、波長６５０〜６８０ｎｍ付近の領域における光に対する透過率が、前記波長５４７ｎｍ付近以下の可視光に対する透過率とほぼ同じである波長選択性フィルタであることを特徴とする表示装置用フィルタ。
【請求項２】
前記請求項１に記載した表示装置用フィルタにおいて、前記波長６５０〜６８０ｎｍ付近の領域における光に対する透過率が、前記波長５４７ｎｍ付近以下の可視光に対する透過率の値の略８０％から１２０％程度であることを特徴とする表示装置用フィルタ。
【請求項３】
前記請求項１に記載した表示装置用フィルタにおいて、前記自己発光型表示部はプラズマディスプレイであり、該プラズマディスプレイの固有の発光に対応した５８５ｎｍの波長の光に対する吸収帯を更に備えることを特徴とする表示装置用フィルタ。
【請求項４】
前記請求項３に記載した表示装置用フィルタにおいて、前記５４７ｎｍ付近の光に対する透過率が、前記波長５８５ｎｍ付近の光に対する透過率よりも大きいことを特徴とする表示装置用フィルタ。
【請求項５】
前記請求項４に記載した表示装置用フィルタにおいて、前記５４７ｎｍ付近の光に対する透過率が、前記波長５８５ｎｍ付近の光に対する透過率に対して、略１．５〜２．５倍程度の大きさとなっていることを特徴とする表示装置用フィルタ。
【請求項６】
少なくとも自己発光型の表示部を備え、当該表示部の表示面に取り付けられた表示装置用フィルタとを備えた画像表示装置であって、前記表示部の表示面に取り付けられた表示装置用フィルタは、５４７ｎｍ付近の光に対して吸収帯を持ち、かつ、波長６５０〜６８０ｎｍ付近の領域における光に対する透過率が、前記波長５４７ｎｍ付近以下の可視光に対する透過率とほぼ同じである波長選択性フィルタであることを特徴とする画像表示装置。
【請求項７】
前記請求項６に記載した画像表示装置において、前記表示装置用フィルタの前記波長６５０〜６８０ｎｍ付近の領域における光に対する透過率が、前記波長５４７ｎｍ付近以下の可視光に対する透過率の値の略９０％から１１０％程度であることを特徴とする画像表示装置。
【請求項８】
前記請求項６に記載した画像表示装置において、前記自己発光型の表示部はプラズマディスプレイであり、かつ、該プラズマディスプレイ固有の発光に対応した波５８５ｎｍの波長の光に対する吸収帯を更に備えることを特徴とする画像表示装置。
【請求項９】
前記請求項８に記載した画像表示装置において、前記表示装置用フィルタの前記５４７ｎｍ付近の光に対する透過率が、前記波長５８５ｎｍ付近の光に対する透過率よりも大きいことを特徴とする画像表示装置。
【請求項１０】
前記請求項４に記載した画像表示装置において、前記表示装置用フィルタの前記５４７ｎｍ付近の光に対する透過率が、前記波長５８５ｎｍ付近の光に対する透過率に対して略１．５〜２．５倍程度の大きさとなっていることを特徴とする画像表示装置。
【請求項１１】
前記請求項６に記載した画像表示装置において、前記自己発光型の表示部からの発光光のうち、緑色の波長範囲における少なくとも最大スペクトルを持つピーク波長が、５４７ｎｍ付近から外れていることを特徴とする画像表示装置。
【請求項１２】
表示部と、当該表示部の表示面に取り付けられた表示装置用フィルタとを備えた画像表示装置であって、前記表示部の表示面に取り付けられた表示装置用フィルタは、５４７ｎｍ付近の光に対して吸収帯を持ち、かつ、波長６５０〜６８０ｎｍ付近の領域における光に対する透過率が、前記波長５４７ｎｍ付近以下の可視光に対する透過率とほぼ同じである波長選択性フィルタであることを特徴とする画像表示装置。
【発明の詳細な説明】
【技術分野】
【０００１】
本発明は、画像表示装置に関し、特に、例えばプラズマディスプレイパネル、FED、またはＥＬのような自己発光型の画像表示装置に使用される表示装置用フィルタに関する。
【背景技術】
【０００２】
プラズマディスプレイに限らず、自己発光型の表示ディスプレイにおいては、明所でのコントラストを改善するために、ある一定の透過率を持った前面フィルタが必要不可欠である。
【０００３】
従来、このような前面フィルタでは、通常、その透過率特性において、特に、ネオンガスを封入したプラズマディスプレイの場合には、ネオン特有のオレンジ色（ネオンオレンジ：５８５ｎｍ付近）の発光が強く出てしまうため、これを選択的に抑制するため、５８５ｎｍ付近だけに吸収帯を有し、他の領域では広範囲に透過するように設計される。
【０００４】
しかしながら、日本の一般家庭などの明るい照明下では、表示ディスプレイの黒の品位は、表示ディスプレイの持つ黒の発光強度よりも、蛍光灯等の光が反射して目に飛び込んでくる光の方が支配的に効く。しかしながら、このようなプラズマディスプレイにおいては、５８５ｎｍ付近の吸収帯だけでは、蛍光灯下での明所コントラストを稼ぐのに不十分である。また、緑や青の色純度の改善も不十分であるという課題があった。
【０００５】
そこで、例えば、下記の特許文献１によれば、プラズマディスプレイからの発光を損なうことなく、蛍光灯下での明所コントラストを改善することを目的として、基本的には、４９０ｎｍ付近に吸収帯を持ち、４９０ｎｍでの透過率がプラズマディスプレイの白色光の透過率よりも低い波長選択制フィルタを具備したプラズマディスプレイ用前面フィルタが提案されている。なお、より具体的には、蛍光管の分光特性である三波長の光、赤色（以下Ｒという：波長は６１２ｎｍ）、緑色（以下Ｇという：波長は５４７ｎｍ）、青色（以下Ｂという：波長は４３６ｎｍ）それぞれのピークにおける透過率を、所定の範囲において、適宜、設定するものである。
【０００６】
【特許文献１】特開２００３−１５７０１７号公報
【発明の開示】
【発明が解決しようとする課題】
【０００７】
しかしながら、上述のプラズマディスプレイに代表される画像表示装置は、必ずしも蛍光灯下だけに置かれるとは限られず、むしろ、欧米の一般家庭などでは、上記三波長の分光特性を有する蛍光管に代えて、一般の白熱灯の下に配置されることが多い。そのため、上記特許文献１により知られるプラズマディスプレイ用の前面フィルタでは、上記した三波長の分光特性に対する透過特性から、白熱灯による照明下に配置された場合、画面全体が赤みを帯びてしまう等の問題点があった。
【０００８】
そこで、本発明では、上述した従来技術における問題点に鑑み、特に、三波長の分光特性を有する蛍光管だけでなく、更には、一般の白熱灯による照明下においても、良好に明所コントラストを改善することの可能な画像表示装置を提供すると共に、それに用いる表示装置用フィルタを提供することを目的とするものである。
【課題を解決するための手段】
【０００９】
本発明によれば、上記の目的を達成するため、まず、表示装置の自己発光型表示部の表示面に取り付けられる表示装置用フィルタであって、５４７ｎｍ付近の光に対して吸収帯を持ち、かつ、波長６５０〜６８０ｎｍ付近の領域における光に対する透過率が、前記波長５４７ｎｍ付近以下の可視光に対する透過率とほぼ同じである波長選択性フィルタである表示装置用フィルタが提供される。
【００１０】
また、本発明によれば、やはり上記の目的を達成するため、少なくとも自己発光型の表示部を備え、当該表示部の表示面に取り付けられた表示装置用フィルタとを備えた画像表示装置であって、前記表示部の表示面に取り付けられた表示装置用フィルタは、５４７ｎｍ付近の光に対して吸収帯を持ち、かつ、波長６５０〜６８０ｎｍ付近の領域における光に対する透過率が、前記波長５４７ｎｍ付近以下の可視光に対する透過率とほぼ同じである波長選択性フィルタである画像表示装置が提供される。
【００１１】
なお、本発明によれば、前記に記載した画像表示装置又はその表示装置用フィルタにおいて、前記波長６５０〜６８０ｎｍ付近の領域における光に対する透過率が、前記波長５４７ｎｍ付近以下の可視光に対する透過率の値の略９０％から１１０％程度であることが好ましい。また、前記自己発光型表示部はプラズマディスプレイであり、その固有の発光に対応した５８５ｎｍ付近の波長の光を減衰する吸収帯を更に持たせてもよい。更に、本発明によれば、前記表示装置用フィルタは、前記５４７ｎｍ付近の光に対する吸収帯の透過率が、前記波長５８５ｎｍ付近の光に対する吸収帯の透過率よりも大きいことが好ましい。加えて、前記表示装置用フィルタの前記５４７ｎｍ付近の光に対する透過率が、前記波長５８５ｎｍ付近の光に対する透過率に対して略１．５〜２．５２倍程度の大きさとなっていることが好ましい。
【００１２】
なお、本発明では、特に、前記した画像表示装置において、前記自己発光型の表示部からの発光光のうち、緑色の波長範囲における少なくとも最大スペクトルを持つピーク波長が、５４７ｎｍ付近から外れていることが好ましい。
【発明の効果】
【００１３】
以上に述べたように、本発明により提供される画像表示装置とそれに用いる表示装置用フィルタによれば、三波長の分光特性を有する蛍光管だけでなく、更には、一般の白熱灯による照明下においても、良好に明所コントラストを改善することの可能な画像表示装置と共に、それに用いる表示装置用フィルタが得られるという優れた効果を発揮する。
【発明を実施するための最良の形態】
【００１４】
以下、本発明の実施の形態について、添付の図面を参照しながら詳細に説明する。
【００１５】
まず、図１は、本発明の一実施例になる画像表示装置の構成を示す展開図であり、図において、符号１００は、例えば、画素を形成するセルが電極間に形成され、該セルの放電、非放電により映像を表示するプラズマディスプレイ装置の表示パネルである。また、図中の符号２００は、表示パネル１００を接地するための接地用金具を、３００は光学フィルタを、４００は、光学フィルタを接地用金具２００に対して固定するための押え金具を、４１０は押え金具を接地用金具に対して固定するための固定用ビスを、そして、５００は前枠を、それぞれ、示している。
【００１６】
即ち、上記図１に示した構成において、画像表示装置の表示部である表示パネル１００はその表面にガラス材部を有しており、光学フィルタ３００は、この表示パネル１００の表面に取り付けられる。これにより、光学フィルタ３００は、表示画面における映像のコントラストを確保し、かつ、外部と表示パネル１００との間における電磁波を遮蔽する。また、この光学フィルタ３００は、表示パネル１００内における画素セルの電極間での放電による光（プラズマ光）の中から不要な光をカット（遮蔽）すると共に、赤外線（近赤外線を含む）を遮蔽する。更に、この光学フィルタ３００は、表示パネル１００を外部からの衝撃力から保護ことを可能にすると共に、特に、図に矢印で示すように、外部からの入射光が上記表示パネル１００の画面に入り、その表面で反射されて出射することによる、所謂、外光の映り込みを抑えることを目的として設けられる。
【００１７】
次に、上記にその機能について説明した光学フィルタ３００の構成の一例を、添付の図２に示す。この光学フィルタ３００は、上記各機能を達成するために、以下に説明する各部材が積層されて構成されている。
【００１８】
即ち、添付の図２に示すように、上記光学フィルタ３００は、半強化ガラス３１０から構成されており、その観視者側の前面（図の左側）には、表面での反射を防止するための反射防止フィルム３２０が、透明な接着剤（粘着材）３３０の層を介して接着されている。一方、上記半強化ガラス３１０の後面（図の右側）には、やはり透明な接着剤３３０の層を介して、電磁波を遮蔽するためのメッシュフィルム３４０が、更には、赤外線やネオンオレンジなどを遮蔽して色調を整えるための、所謂、ＮＩＲ／Ｎｅカットフィルム３５０が接着されている。なお、図中の符号３４５は、上記メッシュフィルム３４０がＮＩＲ／Ｎｅカットフィルム３５０の面から露出した部分であり、この部分によって電極部を形成している。
【００１９】
続いて、上記にその構成について説明した光学フィルタ３００について、以下に、添付の図３に示す透過率特性を参照しながら、詳細に説明する。なお、この図３のグラフにおいて、その横軸には、上記表示パネル１００から出射する光の波長（ｎｍ）が、一方、その縦軸には、上記光学フィルタ３００における透過率（％：図の左側）及びＰＤＰ発光強度（ｓｒ・ｍ２・ｎｍ：図の右側）が示されている。この図３の下側に位置する曲線Ｂで示される特性は、プラズマディスプレイの発光特性を示し、その上側に位置する曲線Ａで示される特性は、光学フィルタ３００の透過率特性を示している。また、この図３に示す特性例は、特に、プラズマディスプレイ装置に好適な光学フィルタのものである。このプラズマディスプレイは、その発光メカニズムから、下側の曲線Ｂで示されるように、上記ネオンオレンジ（５８５ｎｍ付近）と共に、赤色として５９５，６１０，６２５ｎｍ付近に、緑色として５３０ｎｍ付近に、そして、青色として４５０ｎｍ付近に発光ピークを有している。つまり、本実施例のプラズマディスプレイ装置は、４９０〜５８０ｎｍの緑色の波長範囲において、約５３０ｎｍ付近の波長が（緑色の）最大のスペクトルを有している。そして、この最大スペクトルを有する緑色の波長ピークが、通常の緑色発光の波長（５４７ｎｍ）から外れている。
【００２０】
上記光学フィルタ３００は、図３の上側の曲線から明らかなように、通常の可視光と呼ばれる波長３８０ｎｍ〜７８０ｎｍの領域において、所定の透過率（本例では、最大で約４０％程度）を示す。そして、このフィルタは、上記ネオンオレンジ（５８５ｎｍ付近）と、緑色（Ｇ）（５４７ｎｍ付近）において吸収帯を有している。より具体的には、特性曲線Ａにも明らかなように、フィルタの透過率は、波長３８０ｎｍ付近から徐々に増加して波長５００ｎｍ付近で最大値（約４０％程度）に達し、そして、波長５４７ｎｍ付近において略２７％まで降下し（最大値に対して略３３％の低下）、その後、再び最大値付近まで戻る。さらに、フィルタの透過率Ａは、再び、波長５８５ｎｍ付近において略１８％の透過率まで降下し（最大値に対して略５５％の低下）、その後、再び最大値付近まで戻り、波長７８０ｎｍ付近で略２５％程度となる。即ち、光学フィルタ３００は、波長５４７ｎｍ及び波長５８５ｎｍ付近において吸収帯を有し、かつ、赤色側における波長６５０〜６８０ｎｍ付近の領域での透過率が、前記波長５４７ｎｍ付近以下の透過率とほぼ同じくなるように設計されている。
【００２１】
ここで、添付の図４により、上記画像表示装置の配置場所における照明の光源となる蛍光管及び白熱灯からの発光特性と共に、当該画像表示装置の傍観者である人間の光に対する比視感度を示す。なお、この図４のグラフにおいての、その横軸には、光の波長（ｎｍ）が、一方、その縦軸には発光強度（図の左側、Ｗ／（ｓｒ・ｍ２・ｎｍ））及び比視感度（図の右側）を示す。
【００２２】
この図の特性曲線からも明らかなように、蛍光管から発光される光Ｌは、青色（Ｂ：波長４３６ｎｍ付近）、緑色（Ｇ：波長５４７ｎｍ付近）、そして、赤色（Ｒ：波長６１２ｎｍ付近）の３つの波長においてピークを有する。しかしながら、これに対し、人間の比視感度Ｓは、青色（Ｂ）に対してはかなり低く、しかしながら、緑色（Ｇ）と赤色（Ｒ）に対しては十分に高い値を示している。このことから、特に、蛍光灯による照明下に画像表示装置は置かれた場合、その明所コントラストを向上のためには、主に、緑色（Ｇ）と赤色（Ｒ）の光により写り込みを低減することが効果的である。
【００２３】
一方、上記図４において、符号Ｒで示すように、白熱灯からの光は、青色（Ｂ）は非常に微弱であり、波長の増加に伴って増大していることが分かる。しかしながら、人間の比視感度Ｓをも考え合わせると、この赤色側における波長６５０〜６８０ｎｍ付近の領域での透過率は、前記波長５４７ｎｍ付近以下での透過率とほぼ同じくなるようすればよく、又は、前記波長５４７ｎｍ付近以下での透過率の値の略８０％から１２０％程度の範囲で、適宜、設定可能である。
【００２４】
また、上記図４に明らかなように、画像表示装置の傍観者である人間の比視感度Ｓは、特に、緑色（Ｇ）の５４７ｎｍ付近において高い（比視感度Ｓのピーク）。そのため、上記の蛍光灯による照明下における明所コントラストを向上するために、この緑色（Ｇ）に対するフィルタの透過率を下げ過ぎた場合、同時に、画像表示装置から発光される光の緑色（Ｇ）光も低下してしまうことともなる。しかしながら、これでは、表示画像全体が暗くなってしまい、好ましくない。そこで、本発明では、前記緑色（Ｇ）の５４７ｎｍ付近の光に対する吸収帯の透過率を、前記赤色（Ｒ：波長６１２ｎｍ付近）の領域に近いネオンオレンジ（５８５ｎｍ付近）の吸収帯の透過率よりも大きい値に設定する。より具体的には、透過率を、緑色（Ｇ）の波長５４７ｎｍ付近における吸収帯では、当該波長以下の領域における最大値である略４０％から略２７％まで降下し、即ち、最大値である略４０％に対して略３３％だけ低下している。一方、ネオンオレンジ（５８５ｎｍ付近）の吸収帯では、透過率を略２５％程度となるまで低下し、すなわち、上記よりも略二倍程度の大きな割合で（最大値の略４０％に対して略５５％だけ）低下している。
【００２５】
即ち、以上に詳述した光学フィルタ３００によれば、上記に説明した透過特性により、分光特性を有する蛍光管だけでなく、更には、一般の白熱灯による照明下においても、画像表示の明所コントラストを良好に改善することが可能となる。上述した吸収帯は、ＮＩＲ／Ｎｅカットフィルム３５０に与えられる。つまり、本実施例に係るＮＩＲ／Ｎｅカットフィルム３５０は、上述した吸収帯を含むフィルタ特性を備えており、主にこれによって、図３に示された透過率特性が形成される。
【００２６】
次に、添付の図５及び図６には、上記図２において当該光学フィルタ３００の一部を構成する反射防止フィルム３２０のより詳細な構成が示されている。なお、この反射防止フィルム３２０は、まず、図５に示すように、例えば、ＰＥＴ(polyethyleneter ephthalate)など、光透過性のプラスチック材の表面が凹凸状とされて成るＡＧフィルム３０１により形成され、更に、その下層には、図６に示す円偏光フィルム３０４が積層されて形成されている。
【００２７】
まず、上記のＡＧフィルム３０１によれば、例えば、照明光や観視者の像光などを含む外光が入射されると、該入射外光の大部分がその表面の凹凸状部分で拡散反射され、この拡散反射により、入射外光は、光学フィルタ３００の半強化ガラス３１０や表示パネル１００のガラス材部に映り込みが抑制される。上記図３は、上記ＡＧフィルム層３０１の説明図であり、入射光は、観視者側の凹凸状の表面部によってつや消しがされ、かつ、観視者側からの外光が拡散反射されることにより、外光の映り込みが抑えられる。
【００２８】
一方、円偏光フィルム３０４は、図６からも明らかなように、偏光板３０４ａ及び１／４波長位相差板３０４ｂにより構成されている。即ち、この円偏光フィルム３０４によれば、円偏光フィルム層３０４に入射した光(外光)は、偏光板３０４ａにより、該偏光板の吸収軸方向の成分がカット（吸収）され、残りの特定の直線偏光成分だけが透過される。該カットされる成分の光量は入射外光の約５０％である。この偏光板３０４ａを透過した直線偏光光（第1の直線偏光光という）は、上記１／４波長位相差板３０４ｂに入射され、そこで円偏光光に変換される。そして、この円偏光光に変換された光（第1の円偏光光という）は、該円偏光フィルム層３０４から出て、粘着剤層を経て、光学フィルタ３００の半強化ガラス３１０に入射する。
【００２９】
この第１の円偏光光は半強化ガラス３１０の表面部で反射される。このとき、この第１の円偏光光は、偏光回転方向が上記第１の円偏光光に対し逆転された状態で反射される。この反射された円偏光光（第２の円偏光光という）は、再び、粘着剤層を通り、上記の円偏光フィルム層３０４に入射する。そして、この円偏光フィルム層３０４内では、上記の第２の円偏光光は、まず、１／４波長位相差板３０４ｂにより、直線偏光光（第２の直線偏光光という）に変換される。さらに、この第２の直線偏光光は、上記第２の円偏光光から変換されるため、上記第１の直線偏光光に対して、その偏光方向が直角となる。この第２の直線偏光光は、上記円偏光フィルム層内で、更に、上記偏光板３０４ａに入射される。ここで、上記偏光板３０４ａはその吸収軸の方向が、上記第２の直線偏光光の偏光方向と一致しているため、この第２の直線偏光光を吸収する。その結果、第２の直線偏光光は、当該円偏光フィルム層３０４からは、殆ど、出射されない。
【００３０】
以上のように、上記反射防止フィルム３２０によれば、外光の映り込みを抑えられ、また、明るい環境内においても画面のコントラスト性能を確保することが可能となることから、特に、上記に説明した透過特性を備えた光学フィルタ３００に、更に、この反射防止フィルム３２０を組み合わせることによれば、上述したプラズマディスプレイを含む各種の画像表示装置において、特に、当該装置が置かれる照明灯の種類によらず、その明所コントラストを向上し、より良好な画面のコントラスト性能を確保することが可能となる。なお、上記ＮＩＲ／Ｎｅカットフィルム３５０を用いた場合は、必ずしも反射防止フィルム３２０を用いる必要は無いが、当然ながら、これらを組み合わせて使用してもよい。
【００３１】
なお、上記の説明では、画像表示装置を構成する表示装置として、画素を形成するセルの放電、非放電により映像を表示するプラズマディスプレイを自己発光型の表示部の一例として説明した。しかしながら、本発明はこれに限定されることなく、その他、ＦＥＤ（Field Emission Display）や有機／無機ＥＬ（electro luminescence）ディスプレイにも同様に適用できる。また、自己発光型ではないが、直視型の透過型液晶ディスプレイ、透過型または反射型液晶パネル或いはＤＬＰ（Digital light processor）を用いた背面投射型画像表示装置のスクリーンにも同様に適用することも可能である。
【図面の簡単な説明】
【００３２】
【図１】本発明の一実施の形態になる画像表示装置の構成の一例を示すための断面図である。
【図２】上記画像表示装置に採用される光学フィルタの詳細構造を示す断面図である。
【図３】上記光学フィルタの透過特性を示す図である。
【図４】上記光学フィルタの動作を説明するため、三波長蛍光管及び電球の発光強度と人間の比視感度を示す図である。
【図５】上記光学フィルタの一部を構成する反射防止フィルムの構成を示す図である。
【図６】更に、上記光学フィルタの一部を構成する円偏光フィルムの構成及びその動作を示す図である。
【符号の説明】
【００３３】
１００…プラズマディスプレイ装置の表示パネル、３００…光学フィルタ、３１０…半強化ガラス、３２０…反射防止フィルム、３３０…接着剤（粘着材）、３４０…メッシュフィルム、３５０…ＮＩＲ／Ｎｅカットフィルム、３０１…ＡＧフィルム、３０４…円偏光フィルム、３０４ａ…偏光板、３０４ｂ…１／４波長位相差板。
【図１】
2006138977.tif 000003
【図２】
2006138977.tif 000004
【図３】
2006138977.tif 000005
【図４】
2006138977.tif 000006
【図５】
2006138977.tif 000007
【図６】
2006138977.tif 000008